(57)【特許請求の範囲】
【請求項１】
複数の位置登録エリアにわたって移動可能であり、所在する位置登録エリアが管理される移動端末であって、代表電話グループに属する複数の移動端末のうち空きの移動端末に対して、該代表電話グループの指定を受けることで、呼出しを行う呼び出し方法において、
代表電話グループの指定により、前記複数の移動端末のいずれかの呼出しを行うことができる複数の位置登録エリアのうち、前記空の移動端末の検索を優先的に行う位置登録エリアを指定する複数の指定位置候補の中から選択された指定位置を受け付け、
該選択された指定位置により指定された位置登録エリアに、前記代表電話グループに属する複数の移動端末のいずれかが、空の状態で在圏する場合に、該在圏する位置登録エリアにおける該在圏する移動端末の呼出しを優先的に行う、
ことを特徴とする呼び出し方法
【請求項２】
１以上の基地局が形成する各エリアに移動可能であり、所在するエリアが管理される移動端末であって、代表電話グループに属する複数の移動端末のうち空きの移動端末に対して、該代表電話グループの指定を受けることで、呼出しを行う呼び出し方法において、
代表電話グループの指定により、前記複数の移動端末のいずれかの呼出しを行うことができる複数のエリアのうち、前記空の移動端末の検索を優先的に行うエリアを指定する複数の指定位置候補の中から選択された指定位置を受け付け、
該選択された指定位置により指定されたエリアに、前記代表電話グループに属する複数の移動端末のいずれかが、空の状態で在圏する場合に、該在圏するエリアにおける該在圏する移動端末の呼出しを優先的に行う、
ことを特徴とする呼び出し方法。
【請求項３】
請求項１に記載の呼び出し方法及び請求項２に記載の呼び出し方法のうちの一方を選択することができる呼び出し方法。
【請求項４】
複数の位置登録エリアにわたって移動可能であり、所在する位置登録エリアが管理される移動端末であって、代表電話グループに属する複数の移動端末のうち空きの移動端末に対して、該代表電話グループの指定を受けることで、呼出しを行う呼び出し装置において、
代表電話グループの指定により、前記複数の移動端末のいずれかの呼出しを行うことができる複数の位置登録エリアのうち、前記空の移動端末の検索を優先的に行う位置登録エリアを指定する複数の指定位置候補の中から選択された指定位置を受け付ける指定位置受付手段と、
該受け付けられた指定位置により指定された位置登録エリアに、前記代表電話グループに属する複数の移動端末のいずれかが、空の状態で在圏する場合に、該在圏する位置登録エリアにおける該在圏する移動端末の呼出しを優先的に行う呼び出し手段と、
を備えたことを特徴とする呼び出し装置。
【請求項５】
１以上の基地局が形成する各エリアに移動可能であり、所在するエリアが管理される移動端末であって、代表電話グループに属する複数の移動端末のうち空きの移動端末に対して、該代表電話グループの指定を受けることで、呼出しを行う呼び出し装置において、
代表電話グループの指定により、前記複数の移動端末のいずれかの呼出しを行うことができる複数のエリアのうち、前記空の移動端末の検索を優先的に行うエリアを指定する複数の指定位置候補の中から選択された指定位置を受け付ける指定位置受付手段と、
該受け付けられた指定位置により指定されたエリアに、前記代表電話グループに属する複数の移動端末のいずれかが、空の状態で在圏する場合に、該在圏するエリアにおける該在圏する移動端末の呼出しを優先的に行う呼び出し手段と、
を備えたことを特徴とする呼び出し装置。
【請求項６】
請求項４に記載の呼び出し装置及び請求項５に記載の呼び出し装置のうちの一方を選択することができる呼び出し装置。
【発明の詳細な説明】
【０００１】
【発明の属する技術分野】
本発明は、移動通信において、代表電話グループに属する複数の移動端末のうちから、空きの移動端末を代表電話番号で呼び出す位置指定代表呼び出し方法及び装置に関するものである。
【０００２】
【従来の技術】
図３には、従来の一般的な移動通信網を全体として示している。
この移動通信網においては、固定端末１から発呼して交換網を介して移動端末と通話する場合、先ず発信側の固定端末１が発呼して加入者交換機２に接続する。加入者交換機２はホームメモリ局３、４にその発呼に応じた着信先を問い合わせて、このホームメモリ局４との問い合わせで分かった着信先の移動通信交換機６に回線を移動通信中継交換機５を介して接続する。移動通信交換機６は基地局７を介して着信側の移動端末（図示せず）に回線を接続し、通信を行うようにしている。
【０００３】
図１７は、従来の移動端末を代表電話番号で呼び出す移動通信における動作シーケンス例を示している。
【０００４】
この移動通信網においては、代表電話サービスが提供されており、これは代表電話番号に属する複数の移動端末のうちから、通話中でない移動端末を呼び出して通信を行うようになっている。
具体的には、移動通信においては発信側の端末（移動機又は図３に示す固定電話機１）が代表電話番号で発呼（呼設定又はダイヤル）する。
【０００５】
続いて、加入者交換機２はホームメモリ局３、４にその発呼に応じた代表電話グループに属する着信先の移動端末の所在を問い合わせて（着信翻訳語読出要求）、着信先の移動端末の所在が管理されているホームメモリ局４から着信先としての移動通信交換機６が返答される（着信翻訳語読出応答）と、その移動通信交換機６に回線を接続する。
【０００６】
次いで、移動通信交換機６は発信側の移動端末が要求するサービスの内容を分析し、その内容が代表電話サービス（代表接続サービス）でなければ、着信基本シーケンスにより通常の方法で着信側の移動端末（移動機）に回線を接続する。一方、移動通信交換機６はそのサービスの内容が代表電話サービスであれば、ホームメモリ局４に代表電話グループに属する複数の移動端末についての問い合わせを行う。ホームメモリ局４は接続先の基本契約番号の中から空いている番号の加入者情報及び、位置情報等を返送する。
【０００７】
続いて、移動通信交換機６がこの代表電話グループに属する複数の移動端末のうちから、通話中でない空きの移動端末を選択し、その空きの移動端末を呼び出し、その結果呼び出した移動端末から応答があれば、通話を開始する。
なお、移動通信交換機６が代表電話グループに属する複数の移動端末のうちから、発呼者の位置を基に発呼者から近い移動端末を選択する方法もある（特開平９−９３５６）
【０００８】
【発明が解決しようとする課題】
ところで、例えば病院へ緊急の用事等により医者を向かわせたいときに、その病院から現在最も近い場所にいる医者と通信を行うことが要求されることがある。またある現地において事故（障害）等が発生した場合、その現地に社員を早急に向かわせて、事故に社員を対応させるために、その現地から現在最も近い社員と通信を行うことが要求されることがある。
【０００９】
ところがこれらの要求に対して、従来の代表電話サービスにおいては、向かわせたい場所を指定することができないため、向かわせたい場所から近い移動端末と通信を行いたいという要求に対応することが困難である問題があった。
これらの要求に対応することは未だかつて実現されていない。
【００１０】
本発明は上記実情を考慮してなされたもので、代表電話サービスによる発呼にあたり、指定位置を指定して、複数の移動端末のうちから、例えばその指定位置に最も近い移動端末を選択し、その移動端末と通信を行うようにすることを目的とする。
【００１１】
【課題を解決するための手段および作用】
図１は本発明の位置指定代表呼び出し方法及び装置が適用される移動通信システムの位置登録エリアの概念を説明する図である。図１のように移動端末の所在位置を位置登録エリアＬＡ１、ＬＡ２・・・単位に位置登録するようになっており、各位置登録エリアＬＡ１、ＬＡ２・・・には、それぞれ１以上の基地局エリアＢＡ１、ＢＡ２・・・が含まれるようになっている。図１において場所Ａ〜Ｈは、後述の指定位置に相当する。
【００１２】
上述の課題を解決するために、本発明に係る位置指定代表呼び出し方法及び装置は、第１の形態として、位置登録エリア単位で移動端末の所在位置を管理している移動通信において、代表電話グループに属する複数の移動端末のうちから、空きの移動端末を代表電話番号で発呼する位置指定代表呼び出し方法であって、指定位置を指定し、指定位置に応じて位置登録エリアに優先順位を決め、移動端末の所在位置を位置登録エリア単位で得、優先順位が決められた位置登録エリアと移動端末の所在位置とを照合し、空きの移動端末が所在している位置登録エリアを優先順位の高い順に選択し、選択された位置登録エリアにおいて移動端末を呼び出す。
【００１３】
これにより、複数の移動端末のうちから、指定した位置に最も近い位置登録エリアに所在している移動端末を呼び出すことができる。
【００１４】
また、本発明に係る位置指定代表呼び出し方法は、第２の形態として、１以上の基地局を含む位置登録エリア単位で移動端末の所在位置を管理している移動通信において、代表電話グループに属する複数の移動端末のうちから、空きの移動端末を代表電話番号で発呼する位置指定代表呼び出し方法であって、指定位置を指定し、指定位置に応じて基地局に優先順位を決め、移動端末の所在位置を基地局単位で得、優先順位が決められた基地局と移動端末の所在位置とを照合し、空きの移動端末が所在している基地局を優先順位の高い順に選択し、選択された基地局において移動端末を呼び出す。
【００１５】
図２は指定位置に応じて基地局エリアＢＡ１、ＢＡ２・・・に優先順位を決める場合の例を示す。この例は指定位置に近い順に優先順位を決めるものであり、例えば図１における指定位置としての場所Ａに対して、基地局エリアＢＡ２、ＢＡ１、ＢＡ４、ＢＡ５、ＢＡ３、ＢＡ６の順に優先順位を決めている。
【００１６】
これにより、複数の移動端末のうちから、指定した位置に最も近い基地局エリアに所在している移動端末を呼び出すことができ、第１の形態に比して精度良く呼び出すことができる。
【００１７】
また、本発明に係る位置指定代表呼び出し方法は、第３の形態として、第１の形態に記載の位置指定代表呼び出し方法及び第２の形態において記載の位置指定代表呼び出し方法のうちの一方を選択する。
これにより、複数の移動端末のうちから、指定した位置に最も近い移動端末を呼び出すことができる。
【００１８】
また、本発明に係る位置指定代表呼び出し装置は、第４の形態として、位置登録エリア単位で移動端末の所在位置を管理している移動通信において、代表電話グループに属する複数の移動端末のうちから、空きの移動端末を代表電話番号で発呼する位置指定代表呼び出し装置であって、発呼者が指定した指定位置を受信する指定位置受信手段と、指定位置に応じて位置登録エリアに優先順位を決める順位決定手段と、移動端末の所在位置を位置登録エリア単位で得る位置取得手段と、優先順位が決められた位置登録エリアと移動端末の所在位置とを照合する照合手段と、移動端末が所在している位置登録エリアを優先順位の高い順に選択する選択手段と、選択された位置登録エリアにおいて移動端末を呼び出す発呼手段とを具えるのである。
【００１９】
これにより、複数の移動端末のうちから、指定した位置に最も近い位置登録エリアに所在している移動端末を呼び出すことができる。
【００２０】
また、本発明に係る位置指定代表呼び出し装置は、第５の形態として、１以上の基地局を含む位置登録エリア単位で移動端末の所在位置を管理している移動通信において、代表電話グループに属する複数の移動端末のうちから、空きの移動端末を代表電話番号で発呼する位置指定代表呼び出し装置であって、発呼者が指定した指定位置を受信する指定位置受信手段と、指定位置に応じて位置登録エリアに優先順位を決め、かつ基地局に優先順位を決める順位決定手段と、移動端末の所在位置を基地局単位で得る位置取得手段と、優先順位が決められた基地局と移動端末の所在位置とを照合する位置照合手段と、移動端末が所在している基地局を優先順位の高い順に選択する選択手段と、選択された基地局において移動端末を呼び出す発呼手段とを具えるものである。
【００２１】
これにより、複数の移動端末のうちから、指定した位置に最も近い基地局エリアに所在している移動端末を呼び出すことができ、第４の形態に比して精度良く呼び出すことができる。
【００２２】
また、本発明に係る位置指定代表呼び出し装置は、第６の形態として、第４の形態において記載の位置指定代表呼び出し装置及び第５の形態において記載の位置指定代表呼び出し装置のうちの一方を選択することができるものである。
これにより、複数の移動端末のうちから、指定した位置に最も近い移動端末を呼び出すことができる。
【００２３】
【発明の実施の形態】
以下、図面を参照して本発明の実施例を説明する。
以下の各実施例において、本発明は従来例と同一の全体構成（図３）により実現することが可能であるので、同じ図３を各実施例の説明にも用いる。
【００２４】
（１）第１実施例
図３は、本発明にかかる実施例の移動通信網の全体構成を示している。
この移動通信網においては、発呼者が発呼する固定端末１（固定電話機）と、固定端末１からの発呼を受信する加入者交換機２と、位置登録エリア単位で移動端末の所在位置を管理しているホームメモリ局３、４と、加入者交換機２からの通信を中継する移動通信中継交換機５と、位置登録エリアＬＡ１、ＬＡ２・・のそれぞれにおいて一斉呼び出しをする移動通信交換機６と、基地局エリアＢＡ１、ＢＡ２・・において移動端末と無線通信する基地局７と、その基地局７と無線通信する複数の移動端末（図示せず）とで構成されている。
【００２５】
［位置登録エリアの構成］
図４は、位置登録エリアＬＡ１、ＬＡ２・・・と各基地局エリアＢＡ１、ＢＡ２・・・との関係の一具体例を示す図である。
この図４に示すように、第１の位置登録エリアＬＡ１は基地局エリアＢＡ１、ＢＡ２により構成され、第２の位置登録エリアＬＡ２は基地局エリアＢＡ３、ＢＡ４により構成され、第３の位置登録エリアＬＡ３は基地局エリアＢＡ５により構成され、第４の位置登録エリアＬＡ４は基地局エリアＢＡ６、ＢＡ７、ＢＡ８により構成されている。
【００２６】
そして、これらの位置登録エリアＬＡ１、ＬＡ２・・・内に例えば移動端末（加入者端末）Ａ〜Ｅが散在している。なお場所Ａ〜Ｅは指定場所を示すもので、これについては後述する。
【００２７】
また移動通信交換機６は、図３に示すように場所データ管理部８等を備えており、位置登録エリアＬＡ１、ＬＡ２・・・における各基地局７から得られた複数の移動端末の所在位置（位置情報）を管理するようにしている。これらの基本的な構成自体は従来一般的なものである。
【００２８】
このような移動通信網では、代表電話サービスが提供されている。この代表電話サービスでは複数の移動端末を予め１つのグループにまとめて、そのグループを代表電話グループとしてホームメモリ局４に登録してある。ホームメモリ局４はこの代表電話グループを代表加入者データ（またはグループデータ、代表番号加入者情報とも称される）としてもっている。
【００２９】
［代表加入者データ］
図５には、ホームメモリ局４がもつ代表加入者データの構成例を示す。代表加入者データはそれぞれの加入者情報Ａ〜Ｅをもっており、これらの加入者情報Ａ〜Ｅは代表電話グループに加入している各移動端末Ａ〜Ｅ（代表加入者またはグループメンバ）についてその状態を表すものである。
この加入者情報はそれぞれの移動端末Ａ〜Ｅの空塞情報をもっており、この空塞情報はそれらの移動端末Ａ〜Ｅが通話中でない空きの状態か、あるいは通話中のため塞がっている状態であるかを表すものである。
【００３０】
また加入者情報は、それぞれの移動端末Ａ〜Ｅの位置情報をもっており、この位置情報は移動端末Ａ〜Ｅがどこの位置登録エリアＬＡ１、ＬＡ２・・・に所在しているかを表すものである。
【００３１】
この図５の代表加入者データの位置情報は、図４に示す位置登録エリアＬＡ１、ＬＡ２・・・に対応しており、位置登録エリアＬＡ１、ＬＡ２・・・内の移動端末Ａ〜Ｅの所在は、位置情報としてホームメモリ局４によって管理されている。
【００３２】
具体的には、ホームメモリ局４は例えば第１の位置登録エリアＬＡ１〜第４の位置登録エリアＬＡ４を管理しており、これら各位置登録エリアＬＡ１、ＬＡ２・・・において移動端末Ａ〜Ｅが所在すると、その移動端末Ａ〜Ｅから所在位置としての位置情報を得、この位置情報を位置登録するようにしている。
【００３３】
例えば、第１の位置登録エリアＬＡ１には移動端末Ｂ（加入者Ｂ）が所在しており、その移動端末Ｂから位置情報を得、この位置情報を代表加入者データの加入者情報Ｂとして位置登録している（図５）。
【００３４】
第３の位置登録エリアＬＡ３には移動端末Ａ及び移動端末Ｃが所在しており、それらの移動端末Ａ及び移動端末Ｃから位置情報を得、この位置情報を代表加入者データの加入者情報Ａ及び加入者情報Ｃとして位置登録している（図５）。
第４の位置登録エリアＬＡ４には移動端末Ｄ及び移動端末Ｅが所在しており、それらの移動端末Ｄ及び移動端末Ｅからそれぞれ位置情報を得、これらの位置情報を代表加入者データの加入者情報Ｄ及び加入者情報Ｅとして位置登録している（図５）。
【００３５】
また、図３に示す移動通信交換機６の場所データ管理部８は、場所データ（局データ）をもっており、この場所データを利用して位置登録エリアＬＡ１、ＬＡ２・・・に優先順位を決めるようにしている。
【００３６】
［場所データ］
図６には、場所データの構成例を示す。場所データは指定位置としての指定場所（図４における場所情報Ａ〜Ｄ）に応じて位置登録エリアＬＡ１、ＬＡ２・・・に優先順位（優先度）を決めるようにするものである。
【００３７】
この優先順位は、指定場所Ａ〜Ｄから各位置登録エリアＬＡ１、ＬＡ２・・・までの予め分かっている距離（地図レベルのデータ）の近い順に決められるようになっている。
【００３８】
例えば、指定場所Ａが発呼者によって指定されると、図６における場所Ａについての場所データでは、図４に示す位置関係に基づいてその指定場所Ａに近い順に位置登録エリアに優先順位が決められ、その優先順位が位置登録エリアＬＡ１、ＬＡ４、ＬＡ２、ＬＡ３の順になっていることを表している。
【００３９】
以下、シーケンス図及びフローチャートに従って第１の実施例方法及び装置の動作を説明する。
［位置指定代表呼び出し（代表接続）シーケンス］
図８及び図９は、本実施例の移動通信における動作シーケンスを示している。移動機（または固定端末）１が発呼すると、このシーケンスが実行される。
【００４０】
この動作シーケンスにより、移動通信網においては、発呼者によって指定場所が指定されると、複数の移動端末Ａ〜Ｅのうちから、その指定場所に最も近い移動端末を位置登録エリア単位で選択（検索）し、選択した移動端末と通信を行うようにしている。
【００４１】
［位置指定代表呼び出し処理フロー］
図１０は、位置指定代表呼び出し処理を示すフローチャートである。発呼者が移動機１から代表電話番号で発呼すると、このフローの処理が実行される。
【００４２】
この処理により、発呼者によって指定場所が指定されると、その指定場所に近い順に位置登録エリアＬＡ１、ＬＡ２・・・に場所データによって優先順位を決め、移動端末の所在位置を代表加入者データとして位置登録エリア単位で得、その場所データと代表加入者データとを照合し、空きの移動端末が所在している位置登録エリアを優先順位の高い順に選択して、呼び出しを行うことにより、指定場所に近い順に移動端末の呼び出しを位置登録エリア単位で行うようにしている。
【００４３】
具体的には、発呼者が代表電話番号で発呼する（ステップＳ１）。この呼が移動通信交換機６に着信するまでのシーケンスは従来技術で述べたものと同じである。
続いて、呼が移動通信交換機６に着信すると、移動通信交換機６が発信側の移動端末１に、本実施例の位置指定代表呼び出し方法（または最短移動機呼出方式と称す）を実行するか否かを問うガイダンスを流す。そのガイダンスの内容は図８に示すように、例えば「通常の代表接続は＃０を、場所指定で検索を行う場合は＃１を、入力して下さい。」である。
【００４４】
このガイダンスに従って、発信側の移動端末においてプッシュボタン（ＰＢ）により「＃１」が入力されると、移動通信交換機６がこの発信側の移動端末から入力された「＃１」の信号を受信し、指定場所を指定するためのガイダンスとして例えば「指定場所を入力後、＃を入力して下さい」を発信側の移動端末に流す（ステップＳ２）。
【００４５】
続いてこのガイダンスに従って、発呼者が発信側の移動端末からプッシュボタンにより市外局番（市外内局番形式）で始まる番号（例えば「０４５（横浜）−１１１」）を入力して、指定場所Ａ（場所情報）を指定するようにしている（ステップＳ３）。
【００４６】
次いで、移動通信交換機６はその指定場所Ａに該当する場所があるか否かを判断する（ステップＳ４）。
【００４７】
該当する指定場所がなければ、移動通信交換機６が発信側の移動端末に、指定場所を再入力するためのガイダンスを流す（ステップＳ６）。そのガイダンスの内容は例えば「指定場所が誤っています」である。このとき発信側の移動端末は指定場所を入力する処理（ステップＳ２）にもどる。
【００４８】
一方、指定場所Ａがあれば、移動通信交換機６は移動端末Ａ〜Ｅの各位置情報をホームメモリ局４から位置登録エリア単位で得、この位置情報と、指定場所Ａに応じて位置登録エリアＬＡ１、ＬＡ２・・・に予め優先順位が決められている場所データとを照合することにより対応表データを作成し、この対応表データにより位置登録エリアＬＡ１、ＬＡ２・・・に優先順位を決める（ステップＳ５）。
【００４９】
ここで図７には、対応表データを作成する手順を示す。
移動通信交換機６はホームメモリ局４に代表加入者データ（図５）を照会し、この代表加入者データによって通話中でない空きの加入者情報（例えば加入者情報Ｂ〜Ｅ）を得る。
【００５０】
続いて、移動通信交換機６はこの加入者情報によって移動端末Ｂ〜Ｅがどこの位置登録エリアＬＡ１、ＬＡ２・・・に所在するかを示す位置情報を得る。
次いで、移動通信交換機６はこの位置情報と、指定場所Ａに近い順に位置登録エリアＬＡ１、ＬＡ２・・・に予め優先順位が決められた場所データ（図６）とを照合して、それぞれの加入者情報Ｂ〜Ｅに優先順位をそれらの位置登録エリアの優先順位に基づいて決める。
ただし１つの位置登録エリア（例えば第４の位置登録エリアＬＡ４）に移動
端末が複数所在している場合は、それらの移動端末は同じ優先順位になる。
【００５１】
続いて、移動通信交換機６は各加入者情報Ｂ〜Ｅを優先順位の高い順に並び替える（ソート）。ただし加入者情報Ｄ、Ｅのように優先順位が同じ場合は、その並び替える順番は任意になる。
【００５２】
続いて、移動通信交換機６が対応表データにおいて指定場所Ａに最も近い位置登録エリアＬＡ１に所在する移動端末Ｂを最優先移動端末（最優先加入者）として呼び出す（ステップＳ７）。呼び出した結果、その最優先移動端末から応答があれば、通話を開始する（ステップＳ８）。
【００５３】
一方、最優先移動端末から応答がなければ、移動通信交換機６はその次に優先順位の高い位置登録エリアにおいて移動端末を第２優先移動端末（第２優先加入者）として呼び出す（ステップＳ９）。
呼び出した結果、その第２の優先移動端末からも応答がなければ、移動通信交換機６はその次に優先順位が高い位置登録エリアにおいて移動端末を呼び出す。このように移動通信交換機６は優先順位が高い位置登録エリアの順に呼び出しを行う。
【００５４】
（２）第２実施例
［代表加入者データ］
図１１は、図３に示すホームメモリ局４がもっている代表加入者データ（代表番号加入者情報）の構成例を示す。
代表加入者データは、加入者情報Ａ〜Ｅをもっており、この加入者情報Ａ〜Ｅは移動端末Ａ〜Ｅがどこの位置登録エリアＬＡ１、ＬＡ２・・・に所属しているかを表す位置情報と、移動端末Ａ〜Ｅの空き塞がり状態を表す空塞情報と、これに加えて基地局情報をもっている。この基地局情報は移動端末Ａ〜Ｅがどこの基地局エリアＢＡ１、ＢＡ２・・・に所在しているかを表すもので、無線基地局から位置登録時に送信される信号上にある基地局の番号である。
【００５５】
この代表加入者データの基地局情報は、図４に示す位置登録エリアＬＡ１、ＬＡ２・・・を構成している基地局エリアＢＡ１、ＢＡ２・・・に対応している。すなわち基地局エリアＢＡ１、ＢＡ２・・・内の移動端末Ａ〜Ｅの所在は、基地局情報としてホームメモリ局４によって管理されている。
【００５６】
具体的には、ホームメモリ局４は例えば第１の基地局エリアＢＡ１〜第８の基地局エリアＢＡ８を管理しており、これら各基地局エリアＢＡ１、ＢＡ２・・・において移動端末Ａ〜Ｅが所在すると、それら移動端末Ａ〜Ｅから所在位置としての基地局情報を得、この基地局情報を位置登録するようにしている。
【００５７】
例えば、第１の基地局エリアＢＡ１には移動端末Ｂ（加入者Ｂ）が所在しており、その移動端末Ｂから基地局情報を得、この基地局情報を代表加入者データの加入者情報Ｂとして位置登録している（図１１）。
【００５８】
第５の基地局エリアＢＡ５には移動端末Ａ及び移動端末Ｃが所在しており、それらの移動端末Ａ及び移動端末Ｃから基地局情報を得、この基地局情報を代表加入者データの加入者情報Ａ及び加入者情報Ｃとして位置登録している（図１１）。
第６の基地局エリアＢＡ６には移動端末Ｄが所在しており、その移動端末Ｄから基地局情報を得、この基地局情報を代表加入者データの加入者情報Ｄとして位置登録している（図１１）。
【００５９】
第７の基地局エリアＢＡ７には移動端末Ｅが所在しており、その移動端末Ｅから基地局情報を得、この基地局情報を代表加入者データの加入者情報Ｅとして位置登録している（図１１）。
【００６０】
また図３に示す移動通信交換機６の場所データ管理部８は、場所データをもっており、この場所データを利用して基地局エリアＢＡ１、ＢＡ２・・・に優先順位を決めるようにしている。
【００６１】
［場所データ］
図１２には、場所データの構成例を示す。場所データは指定位置としての指定場所（場所情報）が指定されると、その指定場所に近い順に基地局エリアＢＡ１、ＢＡ２・・・に優先順位を決めるようにするものである。
【００６２】
この優先順位は、指定場所Ａ〜Ｄから各基地局エリアＢＡ１、ＢＡ２・・・間での予め分かっている距離の近い順に決められるようになっている。
例えば、指定場所Ａが発呼者によって指定されると、図１２の場所Ａについての場所データでは図４に示す位置関係に基づいてその指定場所Ａに近い順に基地局エリアに優先順位が決められ、その優先順位が基地局エリアＢＡ１、ＢＡ２、ＢＡ７、ＢＡ８、ＢＡ６、ＢＡ３、ＢＡ４、ＢＡ５の順になっていることを表している。
【００６３】
以下、シーケンス図及びフローチャートに従って第２の実施例方法及び装置の動作を説明する。
［位置指定代表呼び出し（代表接続）シーケンス］
図８及び図９は、本実施例の移動通信における動作シーケンスを示している。移動機（または固定端末）１が発呼すると、このシーケンスが実行される。
【００６４】
この動作シーケンスにより、移動通信網においては、発呼者によって指定場所が指定されると、複数の移動端末Ａ〜Ｅのうちから、その指定場所に最も近い移動端末を基地局エリア単位で選択（検索）し、その選択した移動端末と通信を行うようにしている。
【００６５】
［位置指定代表呼び出し処理フロー］
図１４は、位置指定代表呼び出し処理を示すフローチャートである。
この処理により、発呼者によって指定場所が指定されると、その指定場所に近い順に基地局エリアＢＡ１、ＢＡ２・・・に場所データによって優先順位を決め、移動端末の所在位置を代表加入者データとして基地局エリア単位で得、その場所データと代表加入者データとを照合し、空きの移動端末が所在している基地局エリアを優先順位の高い順に選択することにより、指定場所に近い順に移動端末の呼び出しを基地局エリア単位で行うようにしている。
【００６６】
具体的には、発呼者が代表電話番号で発呼する（ステップＳ１１）。この呼が移動通信交換機６に着信するまでのシーケンスは第１の実施例で述べたものと同じである。
続いて、移動通信交換機６が発信側の移動端末１に本実施例の位置指定代表呼び出し方法（または最短移動機呼出方式と称す）を実行するか否かを問うガイダンスを流す。そのガイダンスの内容は図８に示すように、例えば「通常の代表接続は＃０を、場所指定で検索を行う場合は＃２を、入力して下さい。」である。
【００６７】
このガイダンスに従って、発信側の移動端末においてプッシュボタン（ＰＢ）で「＃２」が入力されると、移動通信交換機６がこの発信側の移動端末から入力された「＃２」の信号を受信し、指定場所を指定するためのガイダンスとして例えば「指定場所を入力後、＃を入力して下さい」を発信側の移動端末に流す（ステップＳ１２）。
【００６８】
続いてこのガイダンスに従って、発呼者が発信側の移動端末からプッシュボタンにより市外局番（市外内局番形式）で始まる番号（例えば「０４５（横浜）−１１１」を入力して、指定場所Ａ（場所情報）を指定するようにしている。（ステップＳ１３）。
次いで、移動通信交換機６はその指定場所Ａに該当する場所があるか否かを判断する（ステップＳ１４）。
【００６９】
指定場所Ａがあれば、移動通信交換機６は移動端末Ａ〜Ｅの各位置情報をホームメモリ局４から位置登録エリアＬＡ１、ＬＡ２・・・単位で得、これに加えて移動端末Ａ〜Ｅの各基地局情報を基地局エリア単位で得、これら位置情報及び基地局情報と、指定場所Ａに応じて基地局エリアＢＡ１、ＢＡ２・・・に予め優先順位が決められている場所データとを照合することにより対応表データを作成し、この対応表データにより基地局エリアＢＡ１、ＢＡ２・・・に優先順位を決める（ステップＳ１５）。
【００７０】
ここで図１３には、対応表データを作成する手順を示す。
移動通信交換機６はホームメモリ局４の代表加入者データ（図１１）を照会しこの代表加入者データによって通話中でない空きの加入者情報（例えば加入者情報Ｂ〜Ｅ）を得る。
続いて、移動通信交換機６はこの加入者情報によって移動端末Ｂ〜Ｅがどこの位置登録エリアＬＡ１、ＬＡ２・・・に所在するかを示す各位置情報と、これに加えて移動端末Ｂ〜Ｅがどこの基地局エリアＢＡ１、ＢＡ２・・・に所在するかを示す各基地局情報を得る。
【００７１】
次いで、移動通信交換機６はこれらの位置情報及び基地局情報と、指定場所Ａに近い順に基地局エリアＢＡ１、ＢＡ２・・・に予め優先順位が決められた場所データ（図１２）とを照合して、それぞれの加入者情報Ｂ〜Ｅに優先順位をそれらの基地局エリアの優先順位に基づいて決める。
【００７２】
これにより、複数の移動端末のうちから、指定した基地局エリアＢＡ１、ＢＡ２・・・に所在している移動端末を呼び出すことができ、一つの位置登録エリア内に複数の移動端末が所在する場合に優先順位が同じになってしまう第１実施例に比して、精度良く呼び出すことができる。
【００７３】
続いて、移動通信交換機６が各加入者情報Ｂ〜Ｅを優先順位の高い順に並び替える（ソート）。
次いで、移動通信交換機６が対応表データにおいて指定場所Ａに最も近い基地局エリアＬＡ１に所在する移動端末Ｂを最優先移動端末（最優先加入者）として呼び出し（ステップＳ１７）、応答があればその最優先移動端末との通話を開始する（ステップＳ１８）。
【００７４】
一方、最優先移動端末から応答がなければ、その次に優先順位が高いことにより指定場所Ａに近い基地局エリアに所在する移動端末を第２優先移動端末（第２優先加入者）として呼び出す（ステップＳ１９）。
呼び出した結果、その第２の優先移動端末から応答がなければ、移動通信交換機６はその次に優先順位が高い基地局エリアにおいて移動端末を呼び出す。このように移動通信交換機６は優先順位が高い基地局エリアの順に呼び出しを行う。
【００７５】
（３）他の実施例
本発明の実施にあたっては種々の変形形態が可能である。
上述の実施例では、第１実施例の位置指定代表呼び出し方法及び第２の実施例の位置指定代表呼び出し方法の何れかを実行するようにしたが、本発明はこれに限られるものではなく、第１実施例の位置指定代表呼び出し方法及び第２の実施例の位置指定代表呼び出し方法のどちらか一方を選択できるようにしてもよい。
【００７６】
以下、フローチャートに従って他の実施例方法及び装置の動作を説明する。
［位置指定代表呼び出し選択処理フロー］
図１６は、位置指定代表呼び出しの選択処理を示すフローチャートである。
この処理は、発呼者が代表電話番号で発呼すると（ステップＳ２１）、開始される。
次いで、移動通信交換機６が発信側の移動端末１に、通常の代表電話サービス、第１実施例の位置指定代表呼び出し方法及び第２の実施例の位置指定代表呼び出し方法の何れかを選択するかを問うガイダンスを流す。そのガイダンスの内容は例えば「通常の代表電話サービス（代表接続）は＃０を、指定場所を指定して位置登録エリア単位で発呼（概要検索）する場合は＃１を、指定場所を指定して基地局エリア単位で発呼（詳細検索）する場合は＃２を、入力して下さい」である。
【００７７】
このガイダンスに従って、発信側の移動端末においてプッシュボタン（ＰＢ）により「＃０」、「＃１」又は「＃２」が入力されると、移動通信交換機６がこの発信側の移動端末から入力された「＃０」、「＃１」又は「＃２」の信号を受信する。
このとき、「＃０」の信号の場合は、通常の代表電話サービス（代表接続）の処理が行われる。
「＃１」の信号の場合は、指定場所を指定して位置登録エリア単位で呼び出しをする位置指定代表呼び出し（概要検索）の処理が上述の第１の実施例と同様に行われる。
「＃２」の信号の場合は、指定場所を指定して基地局エリア単位で呼び出しをする位置指定代表呼び出し（詳細検索）の処理が上述の第２の実施例と同様に行われる。
【００７８】
ここで図１５には、上述の第１実施例の位置指定代表呼び出し方法及び第２の実施例の位置指定代表呼び出し方法のどちらか一方を選択したときに作成される各対応表データを示す。
図１５（Ａ）に示す対応表データは、「＃１」が入力されたことにより、第１実施例の位置指定代表呼び出し処理（概要検索）が選択されたときに作成される
【００７９】
この場合、移動通信交換機６はホームメモリ局４の代表加入者データを照会し、
移動端末Ａ〜Ｅの各位置情報を位置登録エリア単位で得、この位置情報と、指定場所Ａ１応じて位置登録エリアＬＡ１、ＬＡ２・・・に予め優先順位が決められている場所データとを照合することにより対応表データを作成し、この対応表データにより位置登録エリアＬＡ１、ＬＡ２・・・に優先順位を決めている。
【００８０】
図１５（Ｂ）に示す対応表データは、「＃２」が入力されたことにより、第２の実施例の位置指定代表呼び出し処理（詳細検索）が選択されたときに作成される。
この場合、移動通信交換機６はホームメモリ局４の代表加入者データを照会し、
移動端末Ａ〜Ｅの各位置情報を位置登録エリア単位で得、これに加えて移動端末Ａ〜Ｅの各基地局情報を基地局エリア単位で得、これら位置情報及び基地局情報と、指定場所Ａ１応じて基地局エリアＢＡ１、ＢＡ２・・・に予め優先順位が決められている場所データとを照合することにより対応表データを作成し、この対応表データにより基地局エリアＢＡ１、ＢＡ２・・・に優先順位を決めている。
【００８１】
また、上記の実施例１、２では、指定場所を指定すると、その指定場所に近い順に位置登録エリアＬＡ１、ＬＡ２・・・又は基地局エリアＢＡ１、ＢＡ２・・・に優先順位（優先度）を決めるようにした場合について説明したが、本発明はこれに限られるものではなく、指定場所に短時間で向かうことができる順に優先順位を決めるようにしてもよい。
【００８２】
具体的には、指定場所を指定すると、その指定場所に近いが、指定場所までに例えば山や川などがあり遠回りしなければならないため、時間がかかる場合がある。
そこで、指定場所を指定すると、その指定場所までの最短ルートを探索し、得られた最短ルートを人が向かった場合の所要時間が短い順に位置登録エリアＬＡ１、ＬＡ２・・・又は基地局エリアＢＡ１、ＢＡ２・・・に優先順位を決めるようにする。
これにより、指定場所に最も早く到着することができる人を呼び出すことができるので、その指定場所に人を早急に向かわせることができる。
【００８３】
【発明の効果】
本発明によれば、代表電話サービスによる発呼にあたり、指定位置を指定して、複数の移動端末のうちから、例えばその指定位置に最も近い移動端末を選択し、その移動端末を呼び出すことができる。また指定位置に応じて移動端末を呼び出す優先順位を決めたことにより、優先順位の高い順に移動端末を呼び出すことができるので、指定位置に最も近い移動端末を呼び出したが応答がない場合、次に指定位置に近い移動端末を呼び出すことができる。
かくして、現地において例えば事故（障害）等が発生した場合には、その現地に最も近い人と通信を行うことができることにより、現地に人を早急に向かわせて、事故に人を敏速に対応させることができる。
【図面の簡単な説明】
【図１】本発明にかかる実施例の位置登録エリア及び基地局エリアを示す図である。
【図２】本発明にかかる実施例における場所データを示す図である。
【図３】本発明にかかる従来及び実施例における移動通信網の全体構成を示す図である。
【図４】第１実施例及び第２実施例における位置登録エリア及び基地局エリアを示す図である。
【図５】第１実施例における代表加入者データを示す図である。
【図６】第１実施例における場所データを示す図である。
【図７】第１実施例における対応表データを示す図である。
【図８】第１実施例における代表接続処理を示すシーケンス図である。
【図９】第１実施例における代表接続処理を示すシーケンス図である。
【図１０】第１実施例における位置指定代表呼び出し処理のフローチャートである。
【図１１】第２実施例における代表加入者データを示す図である。
【図１２】第２実施例における場所データを示す図である。
【図１３】第２実施例における対応表データを示す図である。
【図１４】第２実施例における位置指定代表呼び出し処理のフローチャートである。
【図１５】他の実施例における選択処理の各データを示す図である。
【図１６】他の実施例における位置指定代表呼び出し方法選択処理のフローチャートである。
【図１７】従来の代表接続処理を示すシーケンス図である。
【符号の説明】
１  固定電話機（または移動端末）
３、４  ホームメモリ局
６  移動通信交換機
７  基地局
Ａ〜Ｅ  移動端末（加入者端末又は加入者）
ＬＡ１、ＬＡ２・・・  位置登録エリア
ＢＡ１、ＢＡ２・・・  基地局エリア
【図１】
0003952230.tif 000002
【図２】
0003952230.tif 000003
【図３】
0003952230.tif 000004
【図４】
0003952230.tif 000005
【図５】
0003952230.tif 000006
【図６】
0003952230.tif 000007
【図７】
0003952230.tif 000008
【図８】
0003952230.tif 000009
【図９】
0003952230.tif 000010
【図１０】
0003952230.tif 000011
【図１１】
0003952230.tif 000012
【図１２】
0003952230.tif 000013
【図１３】
0003952230.tif 000014
【図１４】
0003952230.tif 000015
【図１５】
0003952230.tif 000016
【図１６】
0003952230.tif 000017
【図１７】
0003952230.tif 000018